(57)【要約】【課題】  同一の識別番号を有した通信装置を選択する。【解決手段】  ＦＷＡ基地局装置１４は、ネットワーク１６およびＦＷＡ通信装置１０やＦＷＡ通信カード１２と通信する。ＦＷＡ通信装置１０とＦＷＡ通信カード１２は、通信の際に使用される識別番号、例えば電話番号として同一の電話番号をそれぞれ有し、かつ互いに異なった優先順位をそれぞれ有しているものとする。通信サーバ１８は、ＦＷＡ通信装置１０やＦＷＡ通信カード１２と、ネットワーク１６に接続された図示しない通信対象装置との間の通信を制御する。その際、同一の電話番号を有したＦＷＡ通信装置１０とＦＷＡ通信カード１２が存在するので、通信サーバ１８は、通信対象装置との通信の対象になるべき通信装置として、ＦＷＡ通信装置１０とＦＷＡ通信カード１２がそれぞれ有した優先順位にもとづいて、ひとつを選択する。【選択図】  図１
2005341235.tif 000002
【特許請求の範囲】
【請求項１】
所定のネットワークに接続された少なくともひとつの通信装置と、
前記少なくともひとつの通信装置と前記ネットワークとの間の通信を制御すべき、前記ネットワークに接続された通信サーバとを備え、
前記少なくともひとつの通信装置は、前記ネットワークとの通信の際に使用される識別番号として、同一の識別番号をそれぞれ有し、かつ互いに異なった優先順位をそれぞれ有しており、
前記通信サーバは、前記ネットワークとの通信の対象になるべき所定の識別番号に対応した通信装置として、前記識別番号に対応した少なくともひとつの通信装置の中から、優先順位にもとづいて、ひとつの通信装置を選択することを特徴とする通信システム。
【請求項２】
前記少なくともひとつの通信装置は、
前記ネットワークとの間での通信を実行する通信部と、
前記ネットワークとの間での通信を実行する際に使用すべき、前記識別番号と前記優先順位を記憶する記憶部と、
前記ネットワークとの間での通信を実行するために、当該通信装置の動作をオンにすべき指示を受け付ける受付部とを備え、
前記通信部は、前記通信装置の動作をオンにすべき指示を受け付ければ、前記記憶した識別番号と優先順位を前記通信サーバに通知することを特徴とする請求項１に記載の通信システム。
【請求項３】
前記通信部は、前記ネットワークに接続された基地局装置を介して、前記ネットワークとの間での通信を実行し、前記通信装置の動作をオンにすべき指示を受け付ければ、前記基地局装置との通信を開始することを特徴とする請求項２に記載の通信システム。
【請求項４】
前記通信サーバは、
前記少なくともひとつの通信装置から、前記少なくともひとつの通信装置に対応した識別番号と、前記少なくともひとつの通信装置にそれぞれ対応した優先順位を受け付ける受付部と、
前記受け付けた識別番号と優先順位にもとづいて、ひとつの識別番号に対応したひとつの通信装置を選択する選択部と、
前記ネットワークから、前記受け付けた識別番号に対応した通信装置との通信の要求を入力すれば、前記ネットワークと前記選択した通信装置との間での通信を設定する設定部と、
を備えることを特徴とする請求項１または２に記載の通信システム。
【請求項５】
所定のネットワークに接続された少なくともひとつの通信装置が、前記ネットワークとの通信の際に使用される識別番号として、同一の識別番号をそれぞれ有し、かつ互いに異なった優先順位をそれぞれ有しており、前記少なくともひとつの通信装置から、前記少なくともひとつの通信装置に対応した識別番号と、前記少なくともひとつの通信装置にそれぞれ対応した優先順位を受け付ける受付部と、
前記受け付けた識別番号と優先順位にもとづいて、ひとつの識別番号に対応したひとつの通信装置を選択する選択部と、
前記ネットワークから前記受け付けた識別番号に対応した通信装置との通信の要求を入力すれば、前記ネットワークと前記選択した通信装置との間での通信を設定する設定部と、
を備えることを特徴とする通信サーバ。
【請求項６】
所定のネットワークに接続された少なくともひとつの通信装置が、前記ネットワークとの通信の際に使用される識別番号として、同一の識別番号をそれぞれ有し、かつ互いに異なった優先順位をそれぞれ有しており、前記少なくともひとつの通信装置が、識別番号と優先順位を通信サーバに送信するステップと、
前記通信サーバが、ひとつの識別番号に対応した優先順位にもとづいて、前記ネットワークとの通信の対象になるべきひとつの通信装置を選択するステップと、
前記通信サーバが、前記ネットワークと前記選択した通信装置の間で通信を設定するステップと、
を備えることを特徴とする通信方法。
【発明の詳細な説明】
【技術分野】
【０００１】
本発明は、通信技術に関し、特に少なくともひとつの通信装置と通信する通信方法ならびにそれを利用した通信システムおよび通信サーバに関する。
【背景技術】
【０００２】
従来、電話通信は、加入者網やＩＳＤＮ（Ｉｎｔｅｇｒａｔｅｄ  Ｓｅｒｖｉｃｅｓ  Ｄｉｇｉｔａｌ  Ｎｅｔｗｏｒｋ）などの公衆網を使用していた。近年、コンピュータ通信網、例えば、インターネット通信に使用されるＩＰ（Ｉｎｔｅｒｎｅｔ  Ｐｒｏｔｏｃｏｌ）網の利用が増加し、家庭においてもｘＤＳＬ（ｘ  Ｄｉｇｉｔａｌ  Ｓｕｂｓｃｒｉｂｅｒ  Ｌｉｎｅ）やＦＴＴＨ（Ｆｉｂｅｒ  Ｔｏ  Ｔｈｅ  Ｈｏｍｅ）が利用されるようになってきている。さらに、このようなコンピュータ通信網を使用して電話通信を実行するインターネット電話やＩＰ電話も実現されている。特に、コンピュータ通信網が公衆網に接続されることによって、インターネット電話やＩＰ電話と、公衆網の加入者電話との間で電話通信もなされている（例えば、特許文献１参照。）。
【特許文献１】特開平１１−３４５２９６号公報
【発明の開示】
【発明が解決しようとする課題】
【０００３】
コンピュータ通信網すなわちデータ通信網には、前述のｘＤＳＬやＦＴＴＨのほかに、無線通信を利用したＦＷＡ（Ｆｉｘｅｄ  Ｗｉｒｅｌｅｓｓ  Ａｃｃｅｓｓ）やＷＬＬ（Ｗｉｒｅｌｅｓｓ  Ｌｏｃａｌ  Ｌｏｏｐ）も含まれている。ＦＷＡ等は、一般的に携帯電話システムのような移動通信システムと比較して、可搬性はないが高速な通信速度の実現を目的としている。しかしながら、一般的に移動通信システムより通信料が安価なインターネット電話やＩＰ電話が、ユーザの家庭やオフィスと同様にさまざまなエリアで提供される方がユーザにとって望ましい。
【０００４】
本発明はこうした状況に鑑みてなされたものであり、その目的は、固定的なデータ通信網における通信サービスをさまざまなエリアで提供可能にする通信方法ならびにそれを利用した通信システムおよび通信サーバを提供することにある。
【課題を解決するための手段】
【０００５】
本発明のある態様は、通信システムである。このシステムは、所定のネットワークに接続された少なくともひとつの通信装置と、少なくともひとつの通信装置とネットワークとの間の通信を制御すべき、ネットワークに接続された通信サーバとを備える。このシステムによれば、少なくともひとつの通信装置は、ネットワークとの通信の際に使用される識別番号として、同一の識別番号をそれぞれ有し、かつ互いに異なった優先順位をそれぞれ有しており、通信サーバは、ネットワークとの通信の対象になるべき所定の識別番号に対応した通信装置として、識別番号に対応した少なくともひとつの通信装置の中から、優先順位にもとづいて、ひとつの通信装置を選択してもよい。
【０００６】
以上の通信システムにより、同一の識別番号を有した通信装置から優先順位に従ってひとつを選択し、選択したひとつの通信装置を通信に使用するので、同一の識別番号を有した通信装置が複数存在していても通信できる。
【０００７】
少なくともひとつの通信装置は、ネットワークとの間での通信を実行する通信部と、ネットワークとの間での通信を実行する際に使用すべき、識別番号と優先順位を記憶する記憶部と、ネットワークとの間での通信を実行するために、当該通信装置の動作をオンにすべき指示を受け付ける受付部とを備え、通信部は、通信装置の動作をオンにすべき指示を受け付ければ、記憶した識別番号と優先順位を通信サーバに通知してもよい。
【０００８】
「通信装置の動作をオンにすべき指示」とは、通信装置の電源スイッチがオンになった旨の通知や、所定の装置に接続されて実質的に使用になる旨の通知であり、通信動作が実行可能になる旨の通知であればよい。
【０００９】
通信部は、ネットワークに接続された基地局装置を介して、ネットワークとの間での通信を実行し、通信装置の動作をオンにすべき指示を受け付ければ、基地局装置との通信を開始してもよい。通信装置に接続される通信端末をさらに備え、通信端末は、通信装置に接続されると、通信装置を介して送信すべき情報を入力し、かつ通信装置を介して受信した情報を出力してもよい。通信サーバは、少なくともひとつの通信装置から、少なくともひとつの通信装置に対応した識別番号と、少なくともひとつの通信装置にそれぞれ対応した優先順位を受け付ける受付部と、受け付けた識別番号と優先順位にもとづいて、ひとつの識別番号に対応したひとつの通信装置を選択する選択部と、ネットワークから受け付けた識別番号に対応した通信装置との通信の要求を入力すれば、ネットワークと選択した通信装置との間での通信を設定する設定部とを備えてもよい。
【００１０】
「送信すべき情報」は、音声通信の場合はマイクなどに入力される音声信号であり、データ通信の場合は所定のインターフェースに入力されるデータ信号であり、送信対象となるデータであればよい。「受信した情報」は、音声通信の場合はスピーカなどから出力される音声信号であり、データ通信の場合はディスプレイに表示されるデータ信号であり、受信対象となるデータであればよい。
【００１１】
本発明の別の態様は、通信サーバである。この通信サーバは、所定のネットワークに接続された少なくともひとつの通信装置が、ネットワークとの通信の際に使用される識別番号として、同一の識別番号をそれぞれ有し、かつ互いに異なった優先順位をそれぞれ有しており、少なくともひとつの通信装置から、少なくともひとつの通信装置に対応した識別番号と、少なくともひとつの通信装置にそれぞれ対応した優先順位を受け付ける受付部と、受け付けた識別番号と優先順位にもとづいて、ひとつの識別番号に対応したひとつの通信装置を選択する選択部と、ネットワークから受け付けた識別番号に対応した通信装置との通信の要求を入力すれば、ネットワークと選択した通信装置との間での通信を設定する設定部とを備える。
【００１２】
以上の通信サーバにより、同一の識別番号を有した通信装置から優先順位に従ってひとつを選択し、選択したひとつの通信装置を通信に使用するので、同一の識別番号を有した通信装置が複数存在していても、通信可能なように制御できる。
【００１３】
本発明の別の態様は、通信方法である。この方法は、所定のネットワークに接続された少なくともひとつの通信装置が、ネットワークとの通信の際に使用される識別番号として、同一の識別番号をそれぞれ有し、かつ互いに異なった優先順位をそれぞれ有しており、少なくともひとつの通信装置が、識別番号と優先順位を通信サーバに送信するステップと、通信サーバが、ひとつの識別番号に対応した優先順位にもとづいて、ネットワークとの通信の対象になるべきひとつの通信装置を選択するステップと、通信サーバが、ネットワークと選択した通信装置の間で通信を設定するステップとを備える。
【００１４】
識別番号と優先順位を通信サーバに送信するステップは、ネットワークとの間での通信を実行する際に使用すべき、識別番号と優先順位を記憶するステップと、ネットワークとの間での通信を実行するために、当該通信装置の動作をオンにすべき指示を受け付けるステップと、通信装置の動作をオンにすべき指示を受け付ければ、記憶した識別番号と優先順位を通信サーバに通知するステップとを備えてもよい。通信を設定するステップは、ネットワークに接続された基地局装置を介して、ネットワークとの間での通信を実行し、通信装置の動作をオンにすべき指示を受け付ければ、基地局装置との通信を開始してもよい。通信端末が、通信装置に接続されると、通信装置を介して送信すべき情報を入力し、かつ通信装置を介して受信した情報を出力するステップをさらに備えてもよい。
【００１５】
ひとつの通信装置を選択するステップは、少なくともひとつの通信装置から、少なくともひとつの通信装置に対応した識別番号と、少なくともひとつの通信装置にそれぞれ対応した優先順位を受け付けるステップと、受け付けた識別番号と優先順位にもとづいて、ひとつの識別番号に対応したひとつの通信装置を選択するステップとを備え、通信を設定するステップは、ネットワークから受け付けた識別番号に対応した通信装置との通信の要求を入力すれば、ネットワークと選択した通信装置との間での通信を設定してもよい。
【００１６】
なお、以上の構成要素の任意の組合せ、本発明の表現を方法、装置、システム、記録媒体、コンピュータプログラムなどの間で変換したものもまた、本発明の態様として有効である。
【発明の効果】
【００１７】
本発明によれば、固定的なデータ通信網における通信サービスをさまざまなエリアで提供可能にする通信方法ならびにそれを利用した通信システムおよび通信サーバを提供できる。
【発明を実施するための最良の形態】
【００１８】
本発明を具体的に説明する前に、概要を述べる。本発明の実施例は、複数の通信装置が基地局装置と通信する無線通信システムに関する。ここでは、無線通信システムとしてＦＷＡシステムを対象にする。本実施例では、ＦＷＡシステムを使用した電話通信、例えば、ＩＰ電話について説明するので、ＩＰ電話の通信制御を実行するための通信サーバが設けられる。一般的に、ＦＷＡシステムは、固定されて設置された通信装置と基地局装置を接続する。そのためＦＷＡシステムで提供されるＩＰ電話サービスは、特定の場所において、同一の電話番号を使用する。
【００１９】
本実施例に係る無線通信システムにおいて、ユーザは固定されて設置された通信装置の位置（以下、「ホームエリア」という）で、ＩＰ電話を使用できる。さらに、ユーザは、通信装置の通信機能と同等の機能を有したカード型の通信装置（以下、「通信カード」という）を有している。また、ホームエリア以外の位置には、通信機能を有さず、通信カードと接続できるカードスロットを有した電話機（以下、「通信端末」という）が設置されている。ユーザは、通信端末のカードスロットに通信カードを挿入することによって、通信端末と通信カードの組み合わせによりＩＰ電話を使用できる。その際、通信カードには、ホームエリアのＩＰ電話機と同一の電話番号が登録されており、さらに通信カードとホームエリアのＩＰ電話機には、それぞれ異なった優先順位が登録されている。例えば、通信カードの優先順位が「１」であれば、ホームエリアのＩＰ電話機の優先順位は「２」というように登録されている。
【００２０】
ユーザが、ホームエリア以外の位置に設けられた通信端末に通信カードを挿入すれば、通信カードが基地局装置に接続される。さらに、通信カードは、基地局装置を介して、ネットワークに接続された通信サーバに電話番号や優先順位の情報を送信する。通信サーバは、既にホームエリアのＩＰ電話機からそれに対応した電話番号と優先順位を受け付けており、それらを登録している。さらに、通信カードからそれに対応した電話番号と優先順位を受け付けてそれらを登録する。通信サーバは、ひとつの電話番号に対応したふたつの優先順位を比較して、優先順位の高い方に対応した通信装置を選択する。ここでは、通信カードを選択する。別の通信装置から、前述した電話番号の通信装置に着信があれば、通信サーバは、着信の対象として、選択した通信装置を設定する。そのため、ユーザは、通信カードを挿入した通信端末で通信できる。
【００２１】
なお、ユーザがホームエリアに戻る場合は、ユーザが通信カードを通信端末から取り外せば、通信サーバに登録された通信カードの情報が削除される。その結果、前述した電話番号の通信装置に着信があれば、通信サーバは、着信の対象としてホームエリアのＩＰ電話機を選択する。
【００２２】
図１は、本発明の実施例に係る通信システム１００の構成を示す。通信システム１００は、ＦＷＡ通信装置１０、ＦＷＡ通信カード１２、ＦＷＡ基地局装置１４と総称される第１ＦＷＡ基地局装置１４ａ、第２ＦＷＡ基地局装置１４ｂ、第３ＦＷＡ基地局装置１４ｃ、ネットワーク１６、通信サーバ１８、通信端末２０と総称される第１通信端末２０ａ、第２通信端末２０ｂ、第３通信端末２０ｃを含む。また、第２通信端末２０ｂは、カード処理部２２を含み、第３通信端末２０ｃは、カード処理部２４を含み、ＦＷＡ通信カード１２は、ＦＷＡ通信カード用アンテナ７０を含み、ＦＷＡ通信装置１０は、ＦＷＡ通信端末用アンテナ３０を含み、第１ＦＷＡ基地局装置１４ａは、ＦＷＡ基地局装置用アンテナ９０を含む。
【００２３】
ＦＷＡ基地局装置１４は、有線ネットワークとして、インターネット等のネットワーク１６に接続される。また、ＦＷＡ基地局装置１４は、データ通信サービスをＦＷＡ通信装置１０やＦＷＡ通信カード１２に提供するために、ＦＷＡ基地局装置用アンテナ９０によって無線信号をＦＷＡ通信装置１０やＦＷＡ通信カード１２との間で通信する。ここで、ＦＷＡ基地局装置１４は、複数のＦＷＡ通信装置１０やＦＷＡ通信カード１２をＣＤＭＡやＴＤＭＡによって多重化しており、複数のＦＷＡ通信装置１０やＦＷＡ通信カード１２との通信システムとしてＦＷＡシステムを想定する。なお、ＦＷＡシステムは、データ通信も実行可能であるが、ここでは、説明の簡潔性のために、ＩＰ電話サービスのみを説明する。
【００２４】
ここで、ＦＷＡシステムによって、ＦＷＡ基地局装置１４との間で通信可能なエリアとして、第１エリアから第３エリアを想定する。第１エリアは、前述のホームエリアに相当し、ＦＷＡ通信端末用アンテナ３０を備えたＦＷＡ通信装置１０が第１ＦＷＡ基地局装置１４ａと通信する。さらに、第１通信端末２０ａがＦＷＡ通信装置１０を介してＦＷＡ通信端末用アンテナ３０に接続されており、ユーザは第１通信端末２０ａを操作して、ＩＰ電話サービスを使用できる。また、第２エリアでは、第２通信端末２０ｂに設けられたカード処理部２２に、ＦＷＡ通信カード１２が挿入されており、ＦＷＡ通信カード１２は、ＦＷＡ通信カード用アンテナ７０を介して、第２ＦＷＡ基地局装置１４ｂと通信する。なお、カード処理部２２からＦＷＡ通信カード１２を取り外すことも可能であり、取り外した場合にＦＷＡ通信カード１２と第２ＦＷＡ基地局装置１４ｂとの間の通信が切断される。また、第３エリアでは、第２通信端末２０ｂと同様の機能を有した第３通信端末２０ｃが備えられているが、第３通信端末２０ｃのカード処理部２４には、ＦＷＡ通信カード１２が挿入されていないので、第３ＦＷＡ基地局装置１４ｃとも通信されていない。
【００２５】
本実施例では、ＦＷＡ基地局装置１４に接続されたＦＷＡ用の通信装置として、ＦＷＡ通信装置１０とＦＷＡ通信カード１２を示しているが、これらは、通信の際に使用される識別番号、例えば電話番号として同一の電話番号をそれぞれ有し、かつ互いに異なった優先順位をそれぞれ有しているものとする。前述のごとく、ＦＷＡ通信装置１０の優先順位は「２」に設定され、ＦＷＡ通信カード１２の優先順位は「１」に設定されているものとする。
【００２６】
通信サーバ１８は、ＦＷＡ通信装置１０やＦＷＡ通信カード１２と、ネットワーク１６に接続された図示しない通信装置（以下、「通信対象装置」という）との間の通信を制御する。ここでは、通信としてＩＰ電話サービスを想定しているので、通信サーバ１８は、ＩＰ電話サービスのための処理を実行する。その際、同一の電話番号を有したＦＷＡ通信装置１０とＦＷＡ通信カード１２が存在するので、通信サーバ１８は、通信対象装置との通信の対象になるべき通信装置として、ＦＷＡ通信装置１０とＦＷＡ通信カード１２がそれぞれ有した優先順位にもとづいて、ひとつを選択する。前述の例では、ＦＷＡ通信装置１０の優先順位は「２」であり、ＦＷＡ通信カード１２の優先順位が「１」であるので、ＦＷＡ通信カード１２を選択する。なお、ＦＷＡ通信カード１２が第２通信端末２０ｂから取り外された場合は、通信サーバ１８は、通信対象装置との通信の対象になるべき通信装置として、優先順位が「２」のＦＷＡ通信装置１０を選択する。
【００２７】
図２は、通信システム１００でのチャネルの遷移を示す。ここでは、図１のＦＷＡ通信装置１０あるいはＦＷＡ通信カード１２と、ＦＷＡ基地局装置１４の間でのＦＷＡシステムで使用されるチャネルのうち、本実施例の説明に必要な無線チャネルを説明する。ＦＷＡ基地局装置１４は、下り回線で報知チャネルを報知する（Ｓ１０）。報知チャネルは、ＦＷＡ基地局装置１４に関する情報を含み、ＦＷＡ通信装置１０あるいはＦＷＡ通信カード１２は報知チャネルを受信することによって、接続可能なＦＷＡ基地局装置１４の存在を認識する。ＦＷＡ基地局装置１４に接続を要求するＦＷＡ通信装置１０あるいはＦＷＡ通信カード１２は、ＦＷＡ基地局装置１４に対して上り回線でランダムアクセスチャネルを送信する（Ｓ１２）。
【００２８】
ＦＷＡ通信装置１０あるいはＦＷＡ通信カード１２からのランダムアクセスチャネルを受信したＦＷＡ基地局装置１４は、接続を要求するＦＷＡ通信装置１０あるいはＦＷＡ通信カード１２の存在を確認する。しかしながら、ランダムアクセスチャネルは、ＦＷＡ基地局装置１４に対して接続を要求する複数のＦＷＡ通信装置１０やＦＷＡ通信カード１２が送信するので、これらの複数のＦＷＡ通信装置１０やＦＷＡ通信カード１２が送信するタイミングが同時になる場合もあり、そのような場合にＦＷＡ基地局装置１４に正確に受信されない。かかる場合に、ＦＷＡ通信装置１０やＦＷＡ通信カード１２は、再びランダムアクセスチャネルを送信する。
【００２９】
ＦＷＡ基地局装置１４は、ＦＷＡ通信装置１０あるいはＦＷＡ通信カード１２からランダムアクセスチャネルを受信し、当該ＦＷＡ通信装置１０あるいはＦＷＡ通信カード１２の接続を決定した場合、下り回線で獲得表示チャネルを送信する（Ｓ１４）。獲得表示チャネルを受信したＦＷＡ通信装置１０あるいはＦＷＡ通信カード１２は、ＦＷＡ基地局装置１４との間でデータ通信を行うための所定の制御信号を送受信するが、ここでは説明を省略する。ＦＷＡ通信装置１０あるいはＦＷＡ通信カード１２がＦＷＡ基地局装置１４との間でデータ通信を実行する場合、ＦＷＡ基地局装置１４はＦＷＡ通信装置１０あるいはＦＷＡ通信カード１２に下り回線のデータチャネルを送信する（Ｓ１８）。当該データチャネルは、定期的に送信されるのではなく、送信すべきデータの発生など必要に応じて送信される。また、ＦＷＡ基地局装置１４はＦＷＡ通信装置１０あるいはＦＷＡ通信カード１２に上下回線の通話チャネルを割り当ててもよい（Ｓ１６）。通話チャネルは、ＦＷＡ通信装置１０あるいはＦＷＡ通信カード１２と、ＦＷＡ基地局装置１４の間で定期的にデータを伝送する。
【００３０】
図３は、ＦＷＡ通信装置１０の構成を示す。ＦＷＡ通信装置１０は、ＲＦ部３２、変復調部３４、ベースバンド処理部３６、ＩＦ部３８、記憶部４０、制御部４２を含む。
【００３１】
ＲＦ部３２は、ＦＷＡ通信端末用アンテナ３０で受信した無線周波数の信号を変復調部３４で処理するための周波数の信号に変換すると共に、変復調部３４で処理した周波数の信号をＦＷＡ通信端末用アンテナ３０から送信すべき無線周波数の信号に変換する。また、増幅処理、Ａ／Ｄ変換、Ｄ／Ａ変換の処理も実行する。
【００３２】
変復調部３４は、受信処理としてＲＦ部３２から入力した信号を復調し、送信処理としてベースバンド処理部３６から入力した信号を変調する。ここでは、変調方式として、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭのいずれかが使用されているものとする。ベースバンド処理部３６は、変調する前のベースバンド信号および復調した後のベースバンド信号に対して、所定の処理を施す。例えば、変調する前のベースバンド信号に対して、誤り訂正の符号化を行い、復調した後のベースバンド信号に対して、誤り訂正の復号を行う。また、通信プロトコルにおけるさらに上位のレイヤ、例えば、ＭＡＣレイヤやＬＬＣレイヤに相当した処理も行う。
【００３３】
ＩＦ部３８は、図１の第１通信端末２０ａに対するインターフェースになる。記憶部４０は、所定の情報を記憶し、ＲＦ部３２、変復調部３４、ベースバンド処理部３６を介して、図示しないＦＷＡ基地局装置１４に適宜送信する。図４は、記憶部４０に記憶した情報のデータ構造を示す。「電話番号」は、ＦＷＡ通信装置１０を識別するための識別番号として、ＦＷＡ通信装置１０に割り当てられた電話番号であり、「０５０−ＡＢＣＤ−ＥＦＧＨ」と例示される。なお、「Ａ」から「Ｈ」は通常所定の数字に相当する。「ＩＰアドレス」は、ＦＷＡ通信装置１０に割り当てられたＩＰアドレスであり、「１００．２００．０．１」と例示される。なお、ネットワーク１６において自動的にＩＰアドレスが割り当てられる場合、「ＩＰアドレス」は規定されていなくてもよい。
【００３４】
「ユーザＩＤ」と「パスワード」は、図１の通信サーバ１８において、ＦＷＡ通信装置１０を認証するために使用される。「サーバアドレス」は、ＦＷＡ通信装置１０の通信を制御すべきサーバのアドレスであり、図１の通信サーバ１８のアドレスに相当する。なお、「サーバアドレス」は、ＩＰアドレスの形式で記憶されていてもよい。「メールアドレス」は、ＦＷＡ通信装置１０によって電子メールを使用する際のアドレスである。「優先順位」は、ひとつの電話番号、ここでは「０５０−ＡＢＣＤ−ＥＦＧＨ」を有した通信装置間での優先度を示す。前述のごとく、ＦＷＡ通信装置１０は、「優先順位」が「２」に設定されているものとする。なお、これらの情報は、すべてが図１の通信サーバ１８に対して送信されてもよいし、一部が通信サーバ１８に対して送信されてもよい。
【００３５】
図３に戻る。制御部４２は、ＦＷＡ通信装置１０のタイミング等を制御する。例えば、図示しない信号線によって、ＲＦ部３２、変復調部３４、ベースバンド処理部３６等に対して、送信処理と受信処理の切り替えを指示する。
【００３６】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３７】
図５は、ＦＷＡ通信カード１２の構成を示す。ＦＷＡ通信カード１２は、ＦＷＡ通信カード用アンテナ７０、ＲＦ部７２、変復調部７４、ベースバンド処理部７６、ＩＦ部７８、接続検出部８０、記憶部８２を含む。
【００３８】
ＲＦ部７２、変復調部７４、ベースバンド処理部７６は、図３のＲＦ部３２、変復調部３４、ベースバンド処理部３６に対応し、第２ＦＷＡ基地局装置１４ｂを介して、ネットワーク１６との間で通信を実行する。記憶部８２は、図３の記憶部４０に対応し、ネットワーク１６との間で通信を実行する際に使用すべき、ＦＷＡ通信カード１２の電話番号と優先順位を記憶する。記憶部８２は、図４と同様の情報を記憶しているが、「電話番号」は、ＦＷＡ通信装置１０と同一の「０５０−ＡＢＣＤ−ＥＦＧＨ」を記憶し、「優先順位」は、ＦＷＡ通信装置１０と異なった優先順位である「１」を記憶しているものとする。また、「ＩＰアドレス」は、ＦＷＡ通信装置１０と異なったＩＰアドレスが設定されているか、あるいは前述のごとく規定されていなくてもよい。
【００３９】
ＩＦ部７８は、図１の第２通信端末２０ｂのカード処理部２２に接続でき、接続した場合のインターフェースである。接続検出部８０は、ＩＦ部７８とカード処理部２２との接続を検出する。すなわち、ＦＷＡ通信カード１２とＦＷＡ基地局装置１４との間で通信を実行する場合に、ＩＦ部７８とカード処理部２２との接続を検出することによって、ＦＷＡ通信カード１２の動作をオンにすべき指示を受け付ける。接続検出部８０がＦＷＡ通信カード１２の動作をオンにすべき指示を受け付ければ、ＲＦ部７２、変復調部７４、ベースバンド処理部７６に対して、記憶部８２に記憶した情報のうち、少なくとも電話番号と優先順位を送信することを指示する。すなわち、接続検出部８０がＦＷＡ通信カード１２の動作をオンにすべき指示を受け付ければ、ＦＷＡ通信カード１２はＦＷＡ基地局装置１４との通信を開始する。
【００４０】
本実施例では、図１の第２エリアに備えられた第２通信端末２０ｂのカード処理部２２に対して、ＦＷＡ通信カード１２が挿入されて、ＦＷＡ通信カード１２が第２ＦＷＡ基地局装置１４ｂと通信可能になっている。しかしながら、ユーザが、図１の第３エリアに備えられた第３通信端末２０ｃのカード処理部２４に対して、ＦＷＡ通信カード１２を挿入すれば、ＦＷＡ通信カード１２は第３ＦＷＡ基地局装置１４ｃと通信可能になる。
【００４１】
図６は、第２通信端末２０ｂの構成を示す。第２通信端末２０ｂは、カード処理部２２、コーデック処理部５０、音声入力部５２、音声出力部５４、メイン処理部５６、データ入力部６０、メモリ５８を備える。
【００４２】
音声入力部５２は、ユーザから発声された音声を受信処理し音声データを出力する。音声出力部５４は、通信対象装置から受信した音声データを処理して音声信号を生成し、スピーカ等の出力手段を介してユーザに対し音声出力する。
【００４３】
コーデック処理部５０は、音声入力部５２から入力された音声信号をＡ／Ｄ変換して音声データを生成するとともに、通信対象装置との間のネゴシエーションによって設定されたコーデック方式に従って、かかる音声データに符号化処理を施す。また、かかるコーデック方式に従って、通信対象装置から受信した音声データに復号処理を施して音声データを生成するとともに、この音声データをＤ／Ａ変換して音声信号を生成し、これを音声出力部５４に出力する。
【００４４】
カード処理部２２は、前述のＦＷＡ通信カード１２を装着するためのスロットを備え、当該スロットにＦＷＡ通信カード１２が装着されると、カード処理部２２がＦＷＡ通信カード１２に接続される。さらに、そのような場合に、メイン処理部５６からの制御に従って、ＦＷＡ通信カード１２に記憶された情報を読み出し、メイン処理部５６に転送する。また、装着したＦＷＡ通信カード１２を介して、所定の通信プロトコルに従って、ＦＷＡ基地局装置１４との間の通信処理の制御を行う。また、カード処理部２２がＦＷＡ通信カード１２に接続されると、ＦＷＡ通信カード１２を介して送信すべき情報や音声データを出力し、かつＦＷＡ通信カード１２を介して受信した情報や音声データを入力する。
【００４５】
メイン処理部５６は、呼制御処理や端末間制御処理（通話時に使用する音声・画像のコーデック方式のネゴシエーションや、音声データ・画像データを流すＩＰアドレスとポート番号の交換等）等、通話において必要な各種処理を行う。また、カード処理部２２を制御して、ＦＷＡ通信カード１２に格納された各種の情報を取得し、メモリ５８に格納する。ＦＷＡ通信カード１２に格納した各種の情報をメイン処理部５６やコーデック処理部５０で使用する場合、メモリ５８に格納された情報を使用する。データ入力部６０は、プッシュボタンやタッチパネル等のキー操作部を備え、例えば、通話先電話番号の入力等に利用される。
【００４６】
図７は、ＦＷＡ通信カード１２の初期動作の手順を示すフローチャートである。接続検出部８０が、ＩＦ部７８とカード処理部２２の接続を検出すれば（Ｓ１１０のＹ）、ベースバンド処理部７６、変復調部７４、ＲＦ部７２は、図２に示したチャネルの遷移にもとづいて、ＦＷＡ基地局装置１４との接続処理を実行する（Ｓ１１２）。ベースバンド処理部７６、変復調部７４、ＲＦ部７２が、ＦＷＡ基地局装置１４と接続すれば（Ｓ１１４のＹ）、ベースバンド処理部７６、変復調部７４、ＲＦ部７２は、記憶部８２に記憶した優先順位等の情報を通信サーバ１８に対して送信する（Ｓ１１６）。詳細は後述するが、通信サーバ１８は受信した優先順位等の情報にもとづいて、通信に使用すべきＦＷＡ通信カード１２あるいはＦＷＡ通信装置１０を選択する。一方、接続検出部８０が、ＩＦ部７８とカード処理部２２の接続を検出せず（Ｓ１１０のＮ）、あるいはベースバンド処理部７６、変復調部７４、ＲＦ部７２が、ＦＷＡ基地局装置１４と接続しなければ（Ｓ１１４のＮ）、処理を終了する。
【００４７】
図８は、第１ＦＷＡ基地局装置１４ａの構成を示す。第１ＦＷＡ基地局装置１４ａは、ＦＷＡ基地局装置用アンテナ９０と総称される第１ＦＷＡ基地局装置用アンテナ９０ａ、第２ＦＷＡ基地局装置用アンテナ９０ｂ、第３ＦＷＡ基地局装置用アンテナ９０ｃ、ＲＦ部９２と総称される第１ＲＦ部９２ａ、第２ＲＦ部９２ｂ、第３ＲＦ部９２ｃ、変復調部９４と総称される第１変復調部９４ａ、第２変復調部９４ｂ、第３変復調部９４ｃ、ベースバンド処理部９６と総称される第１ベースバンド処理部９６ａ、第２ベースバンド処理部９６ｂ、第３ベースバンド処理部９６ｃ、データ経路選択部９８、ＩＦ部１１０、制御部１１２を含む。
【００４８】
ＦＷＡ基地局装置用アンテナ９０は、前述のごとく、無線信号をＦＷＡ通信装置１０やＦＷＡ通信カード１２との間で通信するために備えられる。ここでは、第１ＦＷＡ基地局装置用アンテナ９０ａから第３ＦＷＡ基地局装置用アンテナ９０ｃまでの３つのアンテナが備えられているが、これらは互いに異なった方向に指向性を有したセクタアンテナであり、それぞれが独立した通信を実行している。
【００４９】
ＲＦ部９２、変復調部９４、ベースバンド処理部９６は、図３のＲＦ部３２、変復調部３４、ベースバンド処理部３６にそれぞれ対応するが、ＲＦ部９２、変復調部９４、ベースバンド処理部９６は、第１ＦＷＡ基地局装置用アンテナ９０ａから第３ＦＷＡ基地局装置用アンテナ９０ｃに対応して、３系統備えられて、並列に処理を行う。また、ＲＦ部９２、変復調部９４、ベースバンド処理部９６のそれぞれの系統は、図示しないＦＷＡ通信装置１０やＦＷＡ通信カード１２をＣＤＭＡあるいはＴＤＭＡによって多重化する。複数のＦＷＡ通信カード１２あるいはＦＷＡ通信装置１０を対象にしてそれぞれの処理を実行する。
【００５０】
データ経路選択部９８は、受信処理の際に第１ベースバンド処理部９６ａから第３ベースバンド処理部９６ｃにおいて多重化された複数のデータをそれぞれの経路に出力する。また、送信処理の際にデータを第１ベースバンド処理部９６ａから第３ベースバンド処理部９６ｃに入力する。ＩＦ部１１０は、図示しないネットワーク１６とのインターフェースである。制御部１１２は、第１ＦＷＡ基地局装置１４ａのタイミング等を制御する。以上の構成によって、ＦＷＡ基地局装置１４は、ＦＷＡ通信装置１０あるいはＦＷＡ通信カード１２と、ネットワーク１６あるいは通信サーバ１８との間で伝送される信号を中継する。
【００５１】
図９は、通信サーバ１８の構成を示す。通信サーバ１８は、通信部１２０、処理部１２２、設定部１２４、受付部１２６、選択部１２８、記憶部１３０、制御部１３２を含む。
【００５２】
通信部１２０は、図示しないネットワーク１６と接続される。さらに、通信部１２０は、ネットワーク１６を介して図示しないＦＷＡ基地局装置１４や通信対象装置との間で所定の信号を送受信する。処理部１２２は、通信部１２０で送受信される信号に対して、ネットワーク１６で使用される通信プロトコル従った処理を実行する。さらに、後述の設定部１２４によって、ひとつの電話番号に対応した図示しないＦＷＡ通信装置１０あるいはＦＷＡ通信カード１２のうちのひとつが設定された場合、処理部１２２は、当該ひとつの電話番号に対する信号が設定されたひとつのＦＷＡ通信装置１０あるいはＦＷＡ通信カード１２に送信されるように、指示を通信部１２０に出力する。
【００５３】
受付部１２６は、通信部１２０、処理部１２２を介して、図示しないＦＷＡ通信装置１０あるいはＦＷＡ通信カード１２から、それぞれに対応した電話番号と、同一の電話番号の中での優先順位を受け付ける。さらに、その他の情報も受け付ける。例えば、前述のごとく、図１のＦＷＡ通信装置１０から電話番号の「０５０−ＡＢＣＤ−ＥＦＧＨ」と優先順位の「２」を受け付ける。また、図１のＦＷＡ通信カード１２から電話番号の「０５０−ＡＢＣＤ−ＥＦＧＨ」と優先順位の「１」を受け付ける。
【００５４】
記憶部１３０は、受付部１２６で受け付けた情報を記憶する。図１０は、記憶部１３０に記憶した情報のデータ構造を示す。ここでは、図３の記憶部４０に記憶された図４の情報が、図１のＦＷＡ通信装置１０から送信されており、図５の記憶部８２に記憶された情報が、図１のＦＷＡ通信カード１２から送信されているものとする。なお、図１０は、ひとつの「電話番号」に対して記憶した情報を示すが、これらの他に別の「電話番号」に対して別の情報が記憶されているものとする。図１０の「電話番号」、「ユーザＩＤ」、「パスワード」、「サーバアドレス」、「メールアドレス」は、図４と同一である。また、「メールアドレス」の下段に配置された「ＩＰアドレス  優先順位」は、図１のＦＷＡ通信カード１２に対応した「ＩＰアドレス」と「優先順位」であり、図示のごとく「１００．２００．０．１０」と「１」がそれぞれ記憶されている。また、その下段の「ＩＰアドレス  優先順位」は、図１のＦＷＡ通信装置１０に対応した「ＩＰアドレス」と「優先順位」であり、図示のごとく「１００．２００．０．１」と「２」がそれぞれ記憶されている。
【００５５】
また、その下段の「ＩＰアドレス  優先順位」は、図示されない別のＦＷＡ通信装置１０あるいはＦＷＡ通信カード１２に対応した「ＩＰアドレス」と「優先順位」であり、図示のごとく「１００．２００．０．１００」と「４」がそれぞれ記憶されている。図示した３種類の「ＩＰアドレス  優先順位」が記録されているのは、それぞれに対応したＦＷＡ通信装置１０あるいはＦＷＡ通信カード１２が図１のＦＷＡ基地局装置１４を介してネットワーク１６に接続されているためであり、例えば、「ＩＰアドレス」が「１００．２００．０．１０」に対応し、「優先順位」が「１」に対応した図１のＦＷＡ通信カード１２が、図１の第２ＦＷＡ基地局装置１４ｂから切断されれば、上記の情報が記憶部１３０から削除されるものとする。そのため、記憶部１３０に対する情報の追加、変更、削除の制御も受付部１２６が行っている。受付部１２６は、所定のタイミングでＦＷＡ通信装置１０あるいはＦＷＡ通信カード１２から情報を受け付けて、記憶部１３０に記憶した情報を更新してもよく、あるいは、情報に変化が生じた場合に、例えばＦＷＡ基地局装置１４等からその旨を通知されて、記憶部１３０に記憶した情報を更新してもよい。
【００５６】
図９に戻る。選択部１２８は、記憶部１３０に記憶した情報のうち、ひとつの「電話番号」対する複数の「優先順位」にもとづいて、ひとつの「電話番号」に対応したひとつのＦＷＡ通信装置１０あるいはＦＷＡ通信カード１２を選択する。図１０のように記憶された情報では、「優先順位」が「１」である場合に対応した図１のＦＷＡ通信カード１２が選択される。なお、前述のごとく、記憶部１３０に記憶された情報は適宜更新されているが、選択部１２８は、更新によって選択すべきＦＷＡ通信装置１０あるいはＦＷＡ通信カード１２が変更した場合に、新たにＦＷＡ通信装置１０あるいはＦＷＡ通信カード１２を選択する。
【００５７】
設定部１２４は、図１のネットワーク１６に接続された通信対象端末から、所定の「電話番号」に対応したＦＷＡ通信装置１０あるいはＦＷＡ通信カード１２との通信の要求を入力すれば、選択部１２８で選択したひとつのＦＷＡ通信装置１０あるいはＦＷＡ通信カード１２と、ネットワーク１６との間での通信を設定するように、処理部１２２に指示する。制御部１３２は、通信サーバ１８のタイミング等を制御する。
【００５８】
図１１は、通信システム１００での通信処理の手順を示すシーケンス図である。ここでは、図１のＦＷＡ通信カード１２が第２通信端末２０ｂのカード処理部２２に挿入されておらず、ＦＷＡ通信装置１０のみがＦＷＡ基地局装置１４に接続されている状態での通信処理の手順を説明する。ＦＷＡ通信装置１０は、電源が起動されるなどによって、動作状態がＯＮになる（Ｓ２０）。ＦＷＡ通信装置１０は、記憶した所定の情報、少なくとも「電話番号」と「優先順位」を第１ＦＷＡ基地局装置１４ａに送信し（Ｓ２２）、第１ＦＷＡ基地局装置１４ａは当該情報を通信サーバ１８に送信する（Ｓ２４）。通信サーバ１８は、受信した情報を登録する（Ｓ２６）。なお、通信サーバ１８は、当該「電話番号」に対してＦＷＡ通信装置１０だけを登録しているので、当該ＦＷＡ通信装置１０をひとつの「電話番号」に対応した通信装置として選択する。
【００５９】
ユーザが、ＦＷＡ通信装置１０と通話をするために、通信対象装置に対して発呼操作を行うと（Ｓ２８）、通信対象装置は通信サーバ１８に対して、「呼び出し」のメッセージを含んだ呼制御データを送信する（Ｓ３０）。通信サーバ１８は、呼制御データの通信対象となるべき通信装置としてＦＷＡ通信装置１０を選択し、ＦＷＡ通信装置１０を接続先に設定する（Ｓ３２）。さらに、通信サーバ１８は、第１ＦＷＡ基地局装置１４ａに呼制御データを送信し（Ｓ３４）、第１ＦＷＡ基地局装置１４ａがＦＷＡ通信装置１０に呼制御データを送信する（Ｓ３６）。ユーザが、ＦＷＡ通信装置１０において着呼操作を行い（Ｓ３８）、ＦＷＡ通信装置１０と通信対象装置の間で通話がなされる（Ｓ４０）。
【００６０】
図１２は、通信システム１００での通信処理の手順を示すシーケンス図である。ここでは、図１のＦＷＡ通信カード１２が第２通信端末２０ｂのカード処理部２２に挿入されており、ＦＷＡ通信装置１０とＦＷＡ通信カード１２がＦＷＡ基地局装置１４に接続されている状態での通信処理の手順を説明する。ＦＷＡ通信装置１０は、電源が起動されるなどによって、動作状態がＯＮになる（Ｓ５０）。ＦＷＡ通信装置１０は、記憶した所定の情報、少なくとも「電話番号」と「優先順位」を第１ＦＷＡ基地局装置１４ａに送信し（Ｓ５２）、第１ＦＷＡ基地局装置１４ａは当該情報を通信サーバ１８に送信する（Ｓ５４）。通信サーバ１８は、受信した情報を登録する（Ｓ５６）。ＦＷＡ通信カード１２は、カード処理部２２に挿入されると、動作状態がＯＮになる（Ｓ５８）。ＦＷＡ通信カード１２は、記憶した所定の情報、少なくとも「電話番号」と「優先順位」を第２ＦＷＡ基地局装置１４ｂに送信し（Ｓ６０）、第２ＦＷＡ基地局装置１４ｂは当該情報を通信サーバ１８に送信する（Ｓ６２）。通信サーバ１８は、受信した情報を登録する（Ｓ６４）。通信サーバ１８は、ＦＷＡ通信装置１０とＦＷＡ通信カード１２からそれぞれ受信した情報のうちの「優先順位」にもとづいて、ＦＷＡ通信カード１２をひとつの「電話番号」に対応した通信装置として選択する。
【００６１】
ユーザが、ＦＷＡ通信装置１０と通話をするために、通信対象装置に対して発呼操作を行うと（Ｓ６６）、通信対象装置は通信サーバ１８に対して呼制御データを送信する（Ｓ６８）。通信サーバ１８は、呼制御データの通信対象となるべき通信装置としてＦＷＡ通信カード１２を選択し、ＦＷＡ通信カード１２を接続先に設定する（Ｓ７０）。さらに、通信サーバ１８は、第２ＦＷＡ基地局装置１４ｂに呼制御データを送信し（Ｓ７２）、第２ＦＷＡ基地局装置１４ｂがＦＷＡ通信カード１２に呼制御データを送信する（Ｓ７４）。ユーザが、ＦＷＡ通信カード１２において着呼操作を行い（Ｓ７６）、ＦＷＡ通信カード１２と通信対象装置の間で通話がなされる（Ｓ７８）。
【００６２】
図１３は、通信サーバ１８が通信装置を設定する手順を示すフローチャートである。受付部１２６は、受け付けたＦＷＡ通信装置１０等からの情報を記憶部１３０に登録する（Ｓ８０）。記憶部１３０で登録した情報において、ひとつの電話番号に対して複数のＦＷＡ通信装置１０やＦＷＡ通信カード１２が存在すれば（Ｓ８２のＹ）、選択部１２８は記憶部１３０で登録した情報の中から、優先順位の高いひとつのＦＷＡ通信装置１０あるいはＦＷＡ通信カード１２を選択する（Ｓ８４）。以上のような場合や、記憶部１３０で登録した情報において、ひとつの電話番号に対して複数のＦＷＡ通信装置１０やＦＷＡ通信カード１２が存在しない場合（Ｓ８２のＮ）に、設定部１２４と処理部１２２は、通信の対象として、ひとつのＦＷＡ通信装置１０あるいはＦＷＡ通信カード１２を設定する（Ｓ８６）。
【００６３】
図１４は、通信サーバ１８が通信装置を再設定する手順を示すフローチャートである。すなわち、記憶部１３０に一度登録された情報を更新する手順に相当する。ここでは、特にＦＷＡ通信装置１０やＦＷＡ通信カード１２が追加して登録される場合を想定する。通信部１２０、処理部１２２が、既に記憶部１３０に登録されたＦＷＡ通信装置１０やＦＷＡ通信カード１２との接続を確認する（Ｓ９０）。その後、記憶部１３０に登録されたＦＷＡ通信装置１０やＦＷＡ通信カード１２に変更があれば（Ｓ９２のＹ）、記憶部１３０は新たなＦＷＡ通信装置１０あるいはＦＷＡ通信カード１２を登録する（Ｓ９４）。選択部１２８は、記憶部１３０に登録したＦＷＡ通信装置１０やＦＷＡ通信カード１２から、優先順位の高いひとつのＦＷＡ通信装置１０やＦＷＡ通信カード１２を選択する（Ｓ９６）。設定部１２４は選択したひとつに通信装置を設定する（Ｓ９８）。一方、記憶部１３０に登録されたＦＷＡ通信装置１０やＦＷＡ通信カード１２に変更がなければ（Ｓ９２のＮ）、処理を終了する。なお、ＦＷＡ通信装置１０やＦＷＡ通信カード１２が追加して登録される場合でなく、登録内容が変更される場合や記憶部１３０に登録されたＦＷＡ通信装置１０やＦＷＡ通信カード１２が削除される場合であっても同様の処理がなされる。
【００６４】
図１５は、通信サーバ１８での通信処理の手順を示すフローチャートである。処理部１２２は、通信部１２０を介して、既に登録したひとつの電話番号、すなわち当該電話番号に対応したＦＷＡ通信装置１０やＦＷＡ通信カード１２への着信を受け付ければ（Ｓ１００のＹ）、設定部１２４から設定したひとつのＦＷＡ通信装置１０あるいはＦＷＡ通信カード１２の情報、例えば、対応するＩＰアドレスを取得する（Ｓ１０２）。処理部１２２は、取得した情報にもとづいて、通信部１２０を介して接続処理を実行する（Ｓ１０４）。一方、処理部１２２は、通信部１２０を介して、ＦＷＡ通信装置１０やＦＷＡ通信カード１２への着信を受け付けなければ（Ｓ１００のＹ）、処理を終了する。
【００６５】
本発明の実施例によれば、同一の識別番号を有した少なくともひとつの通信装置を優先順位にもとづいて選択し、選択した通信装置に対する通信を有効にするので、ユーザは使用すべき通信装置として、最も優先度が高い通信装置をネットワークに接続しておけばよく、使用すべき通信装置よりも低い優先度であれば、他の通信装置をネットワークに接続していても正確に通信することができる。また、複数の位置で複数の通信装置をネットワークにそれぞれ接続するので、ＦＷＡのような固定的な通信回線であっても、さまざまな位置で同一の識別番号による通信が可能になる。
【００６６】
また、ユーザは、通信に使用すべき通信装置よりも優先度の高い通信装置があれば、当該通信装置をネットワークから切断すればよいだけなので、操作が容易である。また、通信装置は、ユーザインターフェースを有した通信端末に接続されれば、通信処理に必要な情報を通信サーバに送信するので、操作が用意である。また、通信サーバは、同一の識別番号に対応した複数の通信装置から、ひとつの通信装置を優先順位にもとづいて選択し、さらに当該優先順位はユーザによって設定されるので、ユーザの意思に応じた通信処理を実行できる。
【００６７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６８】
本発明の実施例において、ＦＷＡ通信装置１０やＦＷＡ通信カード１２と、ＦＷＡ基地局装置１４の通信システムとしてＦＷＡシステムを想定した。しかしながらこれに限らず例えば、ＦＷＡシステムは、その他の通信システムであってもよく、さらに有線の通信システムであってもよい。本変形例によれば、様々な通信システムに対して、本発明を適用できる。つまり、無線通信の両端に相当するＦＷＡ通信装置１０やＦＷＡ通信カード１２と、ＦＷＡ基地局装置１４がともに固定して通信されればよい。
【００６９】
本発明の変形例において、ＦＷＡ通信カード１２は、通信端末２０に設けられたカード処理部２２やカード処理部２４に接続されている。しかしながらこれに限らず例えば、カード処理部２２やカード処理部２４がスロットの形状でなく、所定の形状を有したインターフェースになっており、そこにＦＷＡ通信カード１２が接続されるものであってもよい。本変形例によれば、通信端末２０やＦＷＡ通信カード１２の形状に関する設計の自由度が高まる。つまり、ＦＷＡ通信カード１２と通信端末２０が接続されて、ＦＷＡ通信カード１２が通信可能になればよい。
【図面の簡単な説明】
【００７０】
【図１】本発明の実施例に係る通信システムの構成を示す図である。
【図２】図１の通信システムでのチャネルの遷移を示す図である。
【図３】図１のＦＷＡ通信装置の構成を示す図である。
【図４】図１の記憶部に記憶した情報のデータ構造を示す図である。
【図５】図１のＦＷＡ通信カードの構成を示す図である。
【図６】図１の第２通信端末の構成を示す図である。
【図７】図６のＦＷＡ通信カードの初期動作の手順を示すフローチャートである。
【図８】図１の第１ＦＷＡ基地局装置の構成を示す図である。
【図９】図１の通信サーバの構成を示す図である。
【図１０】図９の記憶部に記憶した情報のデータ構造を示す図である。
【図１１】図１の通信システムでの通信処理の手順を示すシーケンス図である。
【図１２】図１の通信システムでの通信処理の手順を示すシーケンス図である。
【図１３】図９の通信サーバが通信装置を設定する手順を示すフローチャートである。
【図１４】図９の通信サーバが通信装置を再設定する手順を示すフローチャートである。
【図１５】図９の通信サーバでの通信処理の手順を示すフローチャートである。
【符号の説明】
【００７１】
１０  ＦＷＡ通信装置、  １２  ＦＷＡ通信カード、  １４  ＦＷＡ基地局装置、  １６  ネットワーク、  １８  通信サーバ、  ２０  通信端末、  ２２  カード処理部、  ２４  カード処理部、  ３０  ＦＷＡ通信端末用アンテナ、  ３２  ＲＦ部、  ３４  変復調部、  ３６  ベースバンド処理部、  ３８  ＩＦ部、  ４０  記憶部、  ４２  制御部、  ５０  コーデック処理部、  ５２  音声入力部、  ５４  音声出力部、  ５６  メイン処理部、  ５８  メモリ、  ６０  データ入力部、  ７０  ＦＷＡ通信カード用アンテナ、  ７２  ＲＦ部、  ７４  変復調部、  ７６  ベースバンド処理部、  ７８  ＩＦ部、  ８０  接続検出部、  ８２  記憶部、  ９０  ＦＷＡ基地局装置用アンテナ、  ９２  ＲＦ部、  ９４  変復調部、  ９６  ベースバンド処理部、  ９８  データ経路選択部、  １００  通信システム、  １１０  ＩＦ部、  １１２  制御部、  １２０  通信部、  １２２  処理部、  １２４  設定部、  １２６  受付部、  １２８  選択部、  １３０  記憶部、  １３２  制御部。
【図１】
2005341235.tif 000003
【図２】
2005341235.tif 000004
【図３】
2005341235.tif 000005
【図４】
2005341235.tif 000006
【図５】
2005341235.tif 000007
【図６】
2005341235.tif 000008
【図７】
2005341235.tif 000009
【図８】
2005341235.tif 000010
【図９】
2005341235.tif 000011
【図１０】
2005341235.tif 000012
【図１１】
2005341235.tif 000013
【図１２】
2005341235.tif 000014
【図１３】
2005341235.tif 000015
【図１４】
2005341235.tif 000016
【図１５】
2005341235.tif 000017